(57)【特許請求の範囲】
【請求項１】
包装袋に充填された粉末状の炭酸水素ナトリウムであって、前記包装袋は、開口部を閉じ合わせて１回以上一方向に折り曲げた折り曲げ部を有し、かつ前記包装袋と少なくとも一部が接合されたシートで前記折り曲げ部がのびないように前記折り曲げ部を固定することにより封口されており、前記シートは切り込みが入っていてかつ切り込みを拡張するための保持部を有し、該保持部を引くことにより前記シートが破かれ炭酸水素ナトリウムが取り出せる構造となっていることを特徴とする包装袋に充填された炭酸水素ナトリウム。
【請求項２】
前記包装袋は、２以上の層から構成されており、最外側は紙袋からなり最内側はポリエチレンのラミネートからなる請求項１に記載の包装袋に充填された炭酸水素ナトリウム。
【請求項３】
前記シートは紙からなる請求項１又は２に記載の包装袋に充填された炭酸水素ナトリウム。
【請求項４】
前記保持部は、前記シートが包装袋と接する面に接合された線状部材により補強されており、該線状部材は、前記保持部から前記保持部を有する端部とは逆の端部まで存在する請求項１、２又は３に記載の包装袋に充填された炭酸水素ナトリウム。
【請求項５】
包装袋に充填された粉末状の炭酸水素ナトリウムであって、前記包装袋は、開口部を閉じ合わせて１回以上一方向に折り曲げた折り曲げ部を有し、かつ前記包装袋と少なくとも一部が接合されたシートで前記折り曲げ部がのびないように前記折り曲げ部を固定することにより封口されており、前記シートは切り込みが入っていてかつ切り込みを拡張するための保持部を有し、該保持部を引くことにより前記シートが破かれ炭酸水素ナトリウムが取り出せる構造となっている包装袋に充填された炭酸水素ナトリウムを用いた酸性水溶液の中和方法であって、前記切り込みの先端部を引くことにより前記シートを破いて前記包装袋の開口部を開き、炭酸水素ナトリウムを酸性水溶液上に散布することを特徴とする酸性水溶液の中和方法。
【請求項６】
前記包装袋には、炭酸水素ナトリウムが５〜１５ｋｇ充填されている請求項５に記載の酸性水溶液の中和方法。
【請求項７】
前記包装袋は、２以上の層から構成されており、最外側は紙袋からなり最内側はポリエチレンのラミネートからなる請求項５又は６に記載の酸性水溶液の中和方法。
【請求項８】
前記シートは紙からなる請求項５、６又は７に記載の酸性水溶液の中和方法。
【請求項９】
前記保持部は、前記シートが包装袋と接する面に接合された線状部材により補強されており、該線状部材は、前記保持部から前記保持部を有する端部とは逆の端部まで存在する請求項５、６、７又は８に記載の酸性水溶液の中和方法。
【請求項１０】
前記包装袋の大きさが、縦５５０〜６５０ｍｍ、横３００〜４５０ｍｍである請求項５、６、７、８又は９に記載の酸性水溶液の中和方法。
【請求項１１】
緊急時における請求項５〜１０のいずれか一項に記載の酸性水溶液の中和方法。
【発明の詳細な説明】
【０００１】
【発明の属する技術分野】
本発明は、酸性水溶液の中和剤として炭酸水素ナトリウムを使用する方法に関する。
【０００２】
【従来の技術】
酸性水溶液が貯槽やローリー配管等から漏洩した場合や、工業排水が酸性を示す場合、酸性水溶液の中和剤を使用して酸性水溶液を中和する操作を行っている。このような中和剤として従来より、水酸化カルシウムや炭酸ナトリウムが使用されている。これらの薬剤は、強アルカリであるため（２５℃、溶質が水溶液全質量の１０％の濃度において、水酸化カルシウム水溶液のｐＨは１２であり、炭酸ナトリウム水溶液のｐＨは１１である。）、中和終了後に過剰に残存しているとｐＨが排水基準を超える。
【０００３】
したがって、酸性水溶液中の酸性成分の量に合わせて中和剤の量を選定する必要があるが、例えば貯槽等から漏洩した酸性水溶液等の中の酸性成分の量を寸時に正確に把握することは困難であり、過剰に中和剤を投入せざるをえない。そのため、中和剤が過剰に残存する水溶液を水で流して排水する方法が採用されるが、それでも排水基準を超える場合がある。
【０００４】
【発明が解決しようとする課題】
これに対し、弱アルカリ性の薬剤を使用して酸性水溶液を中和する方法が考えられる。弱アルカリ性の薬剤としては、例えば炭酸水素ナトリウムが挙げられるが、粉末状の炭酸水素ナトリウムは、通常紙袋とその内袋とで構成された袋に２０〜３０ｋｇ程度充填されている。そのような袋の開口部は、内袋をヒートシールした後、紙袋がミシン掛けされて封口されている。しかし、貯槽等から酸性水溶液が漏洩する等の緊急時に使用する中和剤用途では、口を開けるのに手間がかかり、その作業の間に危険物などが自然に流れ出て、ｐＨが排水基準を超えるおそれがある。
そこで本発明は、安全ですばやく中和を実施できる酸性水溶液の中和方法を提供することを目的とする。
【０００５】
【課題を解決するための手段】
本発明は、包装袋に充填された粉末状の炭酸水素ナトリウムであって、前記包装袋は、開口部を閉じ合わせて１回以上一方向に折り曲げた折り曲げ部を有し、かつ前記包装袋と少なくとも一部が接合されたシートで前記折り曲げ部がのびないように前記折り曲げ部を固定することにより封口されており、前記シートは切り込みが入っていてかつ切り込みを拡張するための保持部を有し、該保持部を引くことにより前記シートが破かれ炭酸水素ナトリウムが取り出せる構造となっていることを特徴とする包装袋に充填された炭酸水素ナトリウム、及び該炭酸水素ナトリウムを酸性水溶液上に散布することによる酸性水溶液の中和方法を提供する。
【０００６】
【発明の実施の形態】
炭酸水素ナトリウムは、酸性水溶液を中和した後に過剰に残存していて溶液中に高濃度で存在していても、２０℃においてｐＨが８．４以下である。また、炭酸水素ナトリウムは水に溶解するため、中和後の排水は炭酸水素ナトリウムが過剰に含まれていても懸濁液とはならないので、ｐＨについても懸濁物質についても排水基準を超えることがない。
【０００７】
本発明では、炭酸水素ナトリウムは包装袋に充填されていて、包装袋の開口部は封口されて長期的に保管できるようにされている。そして、包装袋を容易に開封できる構造としている。従来のように包装袋の封口部が糸によるミシン掛けの処理等がしてあるものであると、包装袋を容易に開けられないので、緊急時に早急に対応できない。
【０００８】
本発明では、炭酸水素ナトリウムを充填する袋を簡単に開封できる構造としているので、手際よく酸性水溶液の中和ができる。すなわち、流出する酸性水溶液に対し、炭酸水素ナトリウムが充填してある包装袋の口をすばやく開けて中身の炭酸水素ナトリウムを散布できる。この方法によれば、酸性水溶液の中和作業を効率的に実施できる。
【０００９】
本発明において、包装袋の大きさは、炭酸水素ナトリウムを５〜１５ｋｇ程度充填できる大きさであることが好ましい。具体的には縦５５０〜６５０ｍｍ、横３００〜４５０ｍｍ程度であることが好ましい。充填されている炭酸水素ナトリウムの量が多すぎると、重すぎてすばやく持ち運べなかったり、また炭酸水素ナトリウムを散布するにも時間がかかるおそれがある。また、充填されている炭酸水素ナトリウムの量が少なすぎると、多量の包装袋から炭酸水素ナトリウムを取り出す必要が生じ、効率が悪く酸性水溶液が排水へ流れ出るおそれがある。
【００１０】
また、強度の観点から、包装袋は２以上の層から構成されており、最外側は紙からなり最内側はポリエチレンのラミネートからなることが好ましい。より好ましくは、クラフト紙１枚又は２枚以上からなる紙袋の最内側の紙袋の内側に、ポリエチレンのラミネートが施されてなる包装袋がよい。このときポリエチレンのラミネートの厚さは、５〜３０μｍ、特に１５〜２０μｍが好ましい。ポリエチレンのラミネートが施されることにより、包装袋の強度が高まるが、５μｍ未満では充分な効果が得られない。また本発明における包装袋の補強はラミネートの厚さは３０μｍあれば充分である。上記のような包装袋を使用すると、炭酸水素ナトリウムを長期間保存するにも適している。
【００１１】
炭酸水素ナトリウムを充填した包装袋は、酸性水溶液の流出に備えて保管しておくときはそのままでよい。すなわち、ローリーに積載する場合等はそのまま所定の箱等に保管する。なお、炭酸水素ナトリウムは５０℃以上の温度では分解して炭酸ナトリウムが生成し、酸性水溶液の中和剤として使用するときに強アルカリ性を示すため、過剰に使用すると排水基準を超えるおそれがある。したがって、炭酸水素ナトリウムは３０℃未満の通気性のよい場所で保管することが好ましい。
【００１２】
以下に本発明における炭酸水素ナトリウムを充填した包装袋について、図面を用いて具体的に説明する。
図１は、本発明における炭酸水素ナトリウムを充填した包装袋を示す図である。包装袋１には、炭酸水素ナトリウムが充填されており、包装袋１の開口部３は閉じ合わせて折り曲げ部４、４’で折り曲げられている。図１では包装袋１の開口部３を塞ぐように折り曲げ部４及び折り曲げ部４’で２回折り曲げられているが、本発明では１回以上折り曲げられていれば何回折り曲げられていてもよい。
【００１３】
そして、包装袋１を封口するためのシート２が、折り曲げ部４、４’の上に被せられている。シート２は、少なくとも一部が包装袋１と糊、接着剤等により接合されていて、折り曲げ部４’がのびることにより開口部３が開くことを防止するため、折り曲げ部４’が包装袋１の所定の位置と重なった状態で折り曲げ部４’を固定している。
【００１４】
なお、図１ではシート２は折り曲げ部４、４’ともに覆っているが、開口部３が開かないように固定する目的には折り曲げ部４’のみが覆われていれば充分である。しかし、長期保存を目的とし、保管中にシート２が包装袋１から剥がれることをより確実に防止するためには、シート２が折り曲げ部４も覆っていてかつ折り曲げ部４の近辺でシート２と包装袋１が接着されていることが好ましい。また、シート２は折り曲げ部４’を完全に覆っている必要はなく、開口部３が開きさえしなければシート２は折り曲げ部４’を部分的に覆っているだけでもよい。
【００１５】
シート２には切り込み５及び５’が入っており、この２本の切り込みにより持ち上げられる保持部６を矢印９の方向に向かって引くとシート２が破れて折り曲げ部４’の固定状態が開放され、開口部３が開ける状態となる。このとき、シート２の包装袋と接する面に、保持部６から切り込みが入っている端部とは逆の端部８まで線状部材７が接合されて存在していることが好ましい。線状部材７により保持部６は補強され、また線状部材７に沿ってシート２はスムーズに端まで破ける。線状部材７は、幅３〜８ｍｍ程度であることが好ましく、セロハン等のフィルムからなることが好ましい。
【００１６】
シート２としては、容易に破けるものを使用することが好ましく、通常は紙を使用することが好ましい。
また、包装袋１をすばやく開封するには、折り曲げ部４’の近辺と線状部材７の近辺はシート２と包装袋１が接合されていないことが好ましいが、シート２のそれ以外の部分は、長期保存を目的として包装袋１を頑丈に封口するには包装袋１と全面的に接合されていることが好ましい。
切り込み５の深さは特に限定されないが、包装袋１が頑丈に封口されかつシート２を容易に破くためには５〜２０ｍｍ程度とすることが好ましい。
【００１７】
上記のように包装袋１の開口をシート２を用いて行う本発明の構成は、特に中身の炭酸水素ナトリウムの長期保存や持ち運びを考えて包装袋１を高強度の材料、例えば上述の内側にポリエチレンのラミネートを施した紙で構成する場合、有効である。高強度の材料からなる包装袋１自体を破いて開口しようとすると開きにくく、特に緊急時にあわてるとなかなか開かないおそれがある。ところが紙等の破れやすいものでシート２を構成すれば誰でも容易に包装袋１を開口できる。
【００１８】
本発明における酸性水溶液としては特に限定されないが、例えば塩酸水溶液、硫酸水溶液等に対してはその濃度によらず、本発明の方法を効果的に使用できる。
本発明における炭酸水素ナトリウムは、特に粒径、形状等に制限はなく、それらの粉体特性によらず好ましく使用できる。炭酸水素ナトリウムは、それ自体弱アルカリ性であるため、中和剤として作業者が取り扱ううえでも安全である。
【００１９】
【実施例】
［例１］
３５％（質量比）塩酸が入った１０Ｌのポリ缶を、ひっくり返して塩酸を流出させた。塩酸の流出速度は約０．５ｍ／ｓであった。これに対し、包装袋に充填されている炭酸水素ナトリウムを散布して中和をおこなった。ここで用いたのは、クラフトシート２枚からなる紙袋の内側の紙袋の内側に、厚さ１５μｍのポリエチレンのラミネートが施された、縦６００ｍｍ、横３５０ｍｍの包装袋であって、図１のように封口された包装袋に、炭酸水素ナトリウム１０ｋｇが充填されたものである。
【００２０】
なお、包装袋１の開口部３は、図１のとおり２回折り曲げてあり、包装袋を封口するための紙からなるシート２の包装袋１と接する面には、幅５ｍｍのセロハンが線状部材７として保持部６から切り込み５を有する端部とは反対側の端部８まで存在するように接着されている。セロハンは包装袋１とは接着されておらず、保持部６を引っ張ることによりシート２がセロハンに沿って破れやすくなっている。
【００２１】
上記のような包装袋に充填された炭酸水素ナトリウムを用いたため、炭酸水素ナトリウムはすばやく散布できた。炭酸水素ナトリウムが散布された箇所のｐＨをｐＨ試験紙で測定すると、ｐＨは８であった。
【００２２】
【発明の効果】
本発明によれば、酸性水溶液を容易に安全に中和処理できる。また、中和剤である炭酸水素ナトリウムを過剰に使用しても、中和処理後の水溶液は排水基準を超えることがない。
【図面の簡単な説明】
【図１】本発明における炭酸水素ナトリウムを充填した包装袋を示す図。
【符号の説明】
１：包装袋
２：シート
３：開口部
４、４’：折り曲げ部
５、５’：切り込み
６：保持部
７：線状部材
【図１】
0004432183.tif 000002